(57)【要約】【課題】稼働中の電気機器の動作モードが不明でも、同じ電気機器に供給されたと推定される電流の電流波形を分類し得る分類装置等の提供。【解決手段】分類装置は、電気機器に供給された電流を表す電流情報から分離された、第一期間の電流波形を表す波形情報と、前記電流波形の電流の第二の期間における供給開始及び供給停止のタイミングを表すオンオフ情報との組合せである組情報の各々に含まれる、前記波形情報の類似度を表す情報により前記組情報の各々の第一の分類を行う第一分類部と、前記組情報の各々に含まれる、前記オンオフ情報の類似度を表す情報により前記組情報の各々の第二の分類を行う第二分類部と、前記第一の分類及び前記第二の分類に係る分類結果により前記組情報を分類する第三分類部と、を備える。【選択図】      図３
2020154509.tif 000002
【特許請求の範囲】
【請求項１】
電気機器に供給された電流を表す電流情報から分離された、第一期間の電流波形を表す波形情報と、前記電流波形の電流の第二期間における供給開始及び供給停止のタイミングを表すオンオフ情報との組合せである組情報の各々に含まれる、前記波形情報の類似度を表す情報により前記組情報の各々の第一の分類を行う第一分類部と、
前記組情報の各々に含まれる、前記オンオフ情報の類似度を表す情報により前記組情報の各々の第二の分類を行う第二分類部と、
前記第一の分類及び前記第二の分類に係る分類結果により前記組情報を分類する第三分類部と、
を備える分類装置。
【請求項２】
前記波形情報の類似度を表す情報が、前記組情報から選択された第一組情報の前記波形情報である第一波形情報と、前記組情報から選択された第二組情報の前記波形情報である第二波形情報とについての、前記第二期間の所定の各時刻についての波形の振幅からなる振幅群についての相関係数である第一相関係数である、請求項１に記載された分類装置。
【請求項３】
前記第一分類部は、前記第一相関係数が第一閾値以上の場合に、前記第一組情報と前記第二組情報を同じグループに分類する、請求項２に表す分類装置。
【請求項４】
前記オンオフ情報の類似度を表す情報が、前記組情報から選択された第三組情報の前記オンオフ情報である第一オンオフ情報と前記組情報から選択された第四組情報の前記オンオフ情報である第二オンオフ情報とについての、前記第一期間の所定の各時刻についての前記オンオフ情報のレベルからなるレベル群についての相関係数である第二相関係数である、請求項１乃至請求項３のうちのいずれか一に記載された分類装置。
【請求項５】
前記第二分類部は、前記第二相関係数が第二閾値以上の場合に、前記第三組情報と前記第四組情報を同じグループに分類する、請求項４に記載された分類装置。
【請求項６】
前記第三分類部は、前記第一分類部及び前記第二分類部のいずれかにより同じグループに分類された前記組情報を同じグループに分類する、請求項１乃至請求項５のうちのいずれかに記載された分類装置。
【請求項７】
電気機器に供給された電流を表す電流情報から分離された、一つ以上の、第一期間の電流波形を表す波形情報と、前記電流波形の電流の第二期間における供給開始及び供給停止のタイミングを表すオンオフ情報との組合せである組情報の各々に含まれる、前記波形情報の類似度を表す情報により前記組情報の各々の第一の分類を行い、
前記組情報の各々に含まれる、前記オンオフ情報の類似度を表す情報により前記組情報の各々の第二の分類を行い、
前記第一の分類及び前記第二の分類に係る分類結果により前記組情報を分類する、
分類方法。
【請求項８】
電気機器に供給された電流を表す電流情報から分離された、一つ以上の、第一期間の電流波形を表す波形情報と、前記電流波形の電流の第二期間における供給開始及び供給停止のタイミングを表すオンオフ情報との組合せである組情報の各々に含まれる、前記波形情報の類似度を表す情報により前記組情報の各々の第一の分類を行う処理と、
前記組情報の各々に含まれる、前記オンオフ情報の類似度を表す情報により前記組情報の各々の第二の分類を行う処理と、
前記第一の分類及び前記第二の分類に係る分類結果により前記組情報を分類する処理と、
をコンピュータに実施させる、分類プログラム。
【発明の詳細な説明】
【技術分野】
【０００１】
本発明は、電流情報の分類に関する。
【背景技術】
【０００２】
家庭、店舗、工場等に配備されている電気機器の稼働状況を監視する方法として、電流測定装置を各電気機器に取り付けて監視する方法が考えられる。しかしながら、電流測定装置を、各電気機器に取り付けるのは、作業者の負担及びコストが大きい。
【０００３】
この問題を解決するための技術として、ＮＩＬＭ（ＮｏｎＩｎｓｔｒｕｓｉｖｅ  Ｌｏａｄ  Ｍｏｎｉｔｏｒｉｎｇ）技術が知られている（特許文献１の背景技術参照）。ＮＩＬＭ技術は、配電盤やキュービクル等の電気機器の供給元における供給電流の電流波形を測定し、分析することで、配下にある各電気機器の動作を推定する技術である。この技術は、供給電流波形に合成されている特徴的な電流波形に分離することや、分離された電流波形ごとの動作状態（オンオフ情報）を推定するものである。そのため、ＮＩＬＭ技術は、各電気機器に電流測定装置を取り付けずに各電気機器の稼働状況を確認することを可能にする。
【０００４】
しかしながら、ＮＩＬＭ技術は、電流波形の特徴により電流波形を分離する。そのため、同一の電気機器であっても、電流波形の特徴が異なれば、別の電流波形に分離される。同一の電気機器であっても、複数の電流波形が生じる理由は、例えば、同一の電気機器の消費電流波形の異なる部分が同じタイミングで動作する場合があるためである。そのため、ＮＩＬＭ技術により各電気機器の操作状況を的確に監視するためには、分離された複数の電流波形のどの組合せが、同一の電気機器への電流波形を表しているのかを推定する必要がある。
【０００５】
ＮＩＬＭ技術で分離された電流波形において、同じ電気機器による電流波形を推定する技術として、特許文献１が開示する方法がある。特許文献１が開示する方法では、複数の電流波形のうち、同じ電気機器から出力される電流波形であることを推定するのに、事前に電気機器の動作モードを把握し、それを基に導きだした必要条件とヒント条件に従って推定する。
【０００６】
当該動作モードは、例えば、電気機器である扇風機の送風の強弱である。例えば、扇風機の動作モードが、「停止」、「弱」及び「強」の三段階とする。その場合において、特許文献１が開示する方法においては、「停止」の時はすべての電流波形がオフであり、「弱」の時はオンの電流波形が一つであり、また、「強」の時はオンの電流波形が二つであるという必要条件を導きだす。また、特許文献１が開示する方法においては、「停止」から「弱」に遷移する時に一つの電流波形がオフからオンに遷移している、というヒント条件もいくつか導きだす。そのような必要条件とヒント条件を事前に導きだし、同一電気機器の推定の際には、これらの条件を所定回数以上満たした場合、同じ電気機器と判定する。
【先行技術文献】
【特許文献】
【０００７】
【特許文献１】特開２０１３−２１８７１５号公報
【非特許文献】
【０００８】
【非特許文献１】クラスタリング  Ｃｌｕｓｔｅｒｉｎｇ、神嶌  敏弘、［平成３１年２月２１日検索］、インターネット（ｈｔｔｐ：／／ｗｗｗ．ｋａｍｉｓｈｉｍａ．ｎｅｔ／ａｒｃｈｉｖｅ／ｃｌｕｓｔｅｒｉｎｇ．ｐｄｆ）
【発明の概要】
【発明が解決しようとする課題】
【０００９】
しかしながら、特許文献１が開示する方法は、電気機器の動作モードと、電気機器がどの動作モードでオンになっているかの情報を予め必要とする。そのため、特許文献１が開示する方法は、事前に稼働している動作モードが分からない場合には、動作モードに合わせた必要条件が作れず、同じ電気機器だと推定することができない。
【００１０】
本発明は、稼働中の電気機器の動作モードが不明でも、同じ電気機器に供給されたと推定される電流の電流波形を分類し得る分類装置等の提供を目的とする。
【課題を解決するための手段】
【００１１】
本発明の分類装置は、電気機器に供給された電流を表す電流情報から分離された、第一期間の電流波形を表す波形情報と、前記電流波形の電流の第二の期間における供給開始及び供給停止のタイミングを表すオンオフ情報との組合せである組情報の各々に含まれる、前記波形情報の類似度を表す情報により前記組情報の各々の第一の分類を行う第一分類部と、前記組情報の各々に含まれる、前記オンオフ情報の類似度を表す情報により前記組情報の各々の第二の分類を行う第二分類部と、前記第一の分類及び前記第二の分類に係る分類結果により前記組情報を分類する第三分類部と、を備える。
【発明の効果】
【００１２】
本発明の分類装置等は、稼働中の電気機器の動作モードが不明でも、同じ電気機器に供給されたと推定される電流の電流波形を分類し得る。
【図面の簡単な説明】
【００１３】
【図１】本実施形態の分類装置が行う分類動作の例の概要を表すイメージ図である。
【図２】本実施形態の分類装置が分類する対象の組情報の例を表す概念図である。
【図３】本実施形態の分類装置の構成例を表す概念図である。
【図４】組情報ＤＢ（データベース）の例を表す概念図（その１）である。
【図５】組情報ＤＢの例を表す概念図（その２）である。
【図６】組情報ＤＢの例を表す概念図（その３）である。
【図７】組情報ＤＢの例を表す概念図（その４）である。
【図８】処理部が行う処理の処理フロー例を表す概念図である。
【図９】波形情報分類部が行う処理の例を表す概念図である。
【図１０】オンオフ情報分類部が行う処理の例を表す概念図である。
【図１１】組情報分類部が行う処理の例を表す概念図である。
【図１２】実施形態の分類装置の最小限の構成を表すブロック図である。
【発明を実施するための形態】
【００１４】
図１は、本実施形態の分類装置（図３参照）が行う分類動作の例の概要を表すイメージ図である。図１（ａ）は分類開始前の各組情報を表す。図１（ｂ）は、組情報の波形情報による分類結果及びオンオフ情報による分類結果の各々を表す。図１（ｃ）は、波形情報の、波形情報とオンオフ情報とによる分類結果を表す。
【００１５】
ここでは、図１（ａ）に表すように、当該分類動作を行う前に、背景技術の項により説明したＮＩＬＭ技術により、配電盤から装置群に流れる電流波形から、４つの組情報が分離されていることを前提とする。組情報は、波形情報とオンオフ情報との組合せである。ここで、オンオフ情報は、波形情報が表す波形の電流の前記装置群への供給が開始されるオンのタイミングと供給が停止されるオフのタイミングとを表すものである。背景技術の項で説明したように、ＮＩＬＭ技術で分離された波形情報には、同じ電気機器への供給電流によるものが含まれ得る。前記分類装置は、波形情報を同じ電気機器へ供給されるものごとに分類する。
【００１６】
その際に、前記分類装置は、まず、波形情報が似ているか否かにより組情報を分類する。図１（ｂ）の例では、組番号１と２の波形情報が互いに似ているため、同じ電気機器への供給電流を表す同じグループの波形情報に分類される。
【００１７】
前記分類装置は、また、オンオフ情報が似ているか否かにより、オンオフ情報を分類する。図１（ｂ）の例では、組番号２と３のオンオフ情報が互いに似ているため、同じ電気機器への供給電流を表す同じグループの波形情報に分類される。
【００１８】
そして、前記分類装置は、波形情報及びオンオフ情報のいずれかが同じグループに分類された波形情報を同じ電気機器への供給電流を表す波形情報に分類する。図１（ｃ）の例では、組番号１、２及び３の波形情報が、第一電気機器への供給電流を表す波形情報に、組番号４の波形情報が第二電気機器への供給電流を表す波形情報に、それぞれ分類されている。
【００１９】
このように、前記分類情報は、波形情報とオンオフ情報の各々が似ているか否かの判定により、波形情報を、電流供給先と推定される電気機器ごとに分類する。
【００２０】
以下、組情報並びに本実施形態の分類装置の詳細について説明する。
【００２１】
図２は、本実施形態の分類装置の分類対象の組情報の例を表す概念図である。組情報は、配電盤等からある電気機器群に供給される電流から背景技術の項で説明したＮＩＬＭ技術により、分離された情報である。
【００２２】
組情報は、オンオフ情報と波形情報との組合せである。
【００２３】
オンオフ情報は、所定の第一期間において、波形情報が表す電流の供給についてのオン又はオフの時刻を表す情報である。なお、第一期間の長さ及び開始時刻は、図２に表すものに限定されず任意である。また、本実施形態の分類装置は複数の組情報も分類対象とするが、その場合、分類対象の各組情報の第一期間の開始時刻及び長さは同じである。
【００２４】
一方、波形情報は、オンオフ情報がオンレベルである所定の期間である第二期間における供給電流の波形を表す情報である。第二期間の開始時刻及び長さは、各組情報において共通である。従い、波形情報には、波形そのものとその波形に係る位相とが表されている。波形そのものが同じでも位相が異なるものは、別の波形情報である。
【００２５】
なお、ＮＩＬＭ技術では、配電盤等から電気機器群に供給される電流波形から、その配電盤等に接続されたすべての電気機器の電流波形は抽出されない可能性がある。しかしながら、本実施形態の分類装置は、すべての電気機器の電流波形が抽出されているか否かは問題としない。本実施形態の分類装置は、ＮＩＬＭ技術で抽出された電流波形についての分類を行うものである。
【００２６】
図３は、本実施形態の分類装置の例である分類装置１００の構成を表す概念図である。
【００２７】
分類装置１００は、処理部１０１と記憶部１１１とを備える。処理部１０１は、波形情報分類部１０２と、オンオフ情報分類部１０３と、組情報分類部１０４とを備える。
【００２８】
処理部１０１は、例えば、中央演算処理装置等のコンピュータの処理装置である。
【００２９】
波形情報分類部１０２は、記憶部１１１が保持する組情報ＤＢ（データベース）に含まれる各組情報を各組情報の波形情報同士の類否判定により分類する。波形情報分類部１０２は、当該類否判定を行う場合は、例えば、二つの波形情報の類似度を求める。
【００３０】
波形情報分類部１０２は、当該類似度として、例えば、次に説明する方法で導出した第一相関係数を用いる。波形情報分類部１０２は、まず、二つの波形情報の振幅について、第二期間に含まれる所定の時刻ごとの振幅からなる振幅群を求める。そして、波形情報分類部１０２は、第一の波形情報に係る第一の振幅群と第二の波形情報に係る第二の振幅群との相関係数である第一相関係数を求め、得られた第一相関係数を波形情報についての類似度とする。
【００３１】
上記場合、波形情報分類部１０２は、第一相関係数が第一閾値以上の場合、同じグループに分類する。当該第一閾値は、例えば、９０％である。
【００３２】
波形情報分類部１０２は、各組情報の波形情報の類否判定による分類を、あるいは、ｋ−ｍｅａｎｓ法（非特許文献１参照）や階層型クラスタリング手法（非特許文献１参照）により行っても構わない。
【００３３】
波形情報分類部１０２が行う、各組情報の波形情報の類否判定による分類処理の具体例は、図９に表される。また、波形情報分類部１０２による分類結果の例は、図５に表される。
【００３４】
オンオフ情報分類部１０３は、記憶部１１１が保持する組情報ＤＢに含まれる各組情報を各組情報同士のオンオフ情報の類否判定により分類する。オンオフ情報分類部１０３は、当該類否判定を行う場合は、例えば、二つのオンオフ情報の類似度を求める。オンオフ情報分類部１０３は、当該類似度としては、例えば、次に説明する第二相関係数を導出する。オンオフ情報分類部１０３は、まず、二つのオンオフ情報の二値の振幅について、第二期間に含まれる所定の時刻ごとの振幅からなる振幅群を求める。そして、波形情報分類部１０２は、第一のオンオフ情報に係る第一の振幅群と第二のオンオフ情報に係る第二の振幅群との相関係数である第二相関係数を求め、得られた第二相関係数をオンオフ情報についての類似度とする。
【００３５】
上記場合、オンオフ情報分類部１０３は、第二相関係数が第二閾値以上の場合、同じグループに分類する。当該第一閾値は、例えば、９０％である。
【００３６】
オンオフ情報分類部１０３は、各組情報のオンオフ情報の類否判定による分類を、あるいは、ｋ−ｍｅａｎｓ法（非特許文献１参照）や階層型クラスタリング手法（非特許文献１参照）により行っても構わない。
【００３７】
オンオフ情報分類部１０３が行う、各組情報のオンオフ情報の類否判定による分類処理の具体例は、図１０に表される。また、オンオフ情報分類部１０３による分類結果の例は、図６に表される。
【００３８】
組情報分類部１０４は、波形情報分類部１０２及びオンオフ情報分類部１０３のいずれかが同じグループに分類した組情報は同じグループに分類する。同じグループに分類された組情報に係る電流を供給する電気機器は同一であることが推定される。
【００３９】
組情報分類部１０４が行う、各組情報の分類処理の具体例は、図１１に表される。また、組情報分類部１０４による分類結果の例は、図７に表される。
【００４０】
記憶部１１１は、組情報を含む組情報ＤＢ（データベース）を予め保持する。組情報ＤＢの例は、図４乃至図７を参照して、後述される。記憶部１１１は、また、処理部１０１が上記動作を行うためのプログラムや情報を保持する。記憶部１１１は、また、処理部１０１が指示する情報を格納する。記憶部１１１は、また、処理部１０１が指示する格納情報を、処理部１０１へ送付する。
【００４１】
図４は、図３に表す組情報ＤＢの例を表す概念図である。図４に表す組情報ＤＢは、組情報の分類を開始する前のものである。
【００４２】
各組情報は、組番号と、波形情報とオンオフ情報との組合せと、第一乃至第三関連付け情報とを備える。波形情報及びオンオフ情報の内容は、図２を参照して説明した通りである。図４に表す組情報ＤＢは、組情報の分類を開始する前のものなので、各第一乃至第三関連付け情報の内容は空欄である。
【００４３】
図５は、波形情報による組情報の分類を行った後の組情報ＤＢを表す。当該組情報ＤＢにおいては、組番号１及び２の組情報の第一関連付け情報には１が格納されている。組番号１及び２の第一関連付け情報が１であることは、組番号１及び２の組情報が同じグループであることを表す。
【００４４】
図６は、さらに、オンオフ情報により組情報の分類を行った後の組情報ＤＢを表す。当該組情報ＤＢにおいては、組番号２及び３の組情報の第二関連付け情報に２が格納されている。
【００４５】
図７は、第一関連付け情報と第二関連付け情報とにより組情報の分類を行った後の組情報ＤＢを表す。当該分類は、前述のように、第一関連付け情報及び第二関連付け情報のいずれかが共通な組情報を同じグループに分類するものである。当該組情報ＤＢにおいては、組番号１、２及び３の第三関連付け情報に１が格納されている。これは、組番号１、２及び３の組情報が同じグループであることを表す。
【００４６】
図８は、図３に表す処理部１０１が行う前述の動作に対応する処理の処理フロー例を表す概念図である。
【００４７】
処理部１０１は、例えば、外部からの開始情報の入力により、図８に表す処理を開始する。
【００４８】
処理部１０１は、まず、Ｓ１０１の処理として、各組情報を波形情報により分類する。Ｓ１０１の処理は、図１（ｂ）に表す、波形情報による組情報の分類動作に対応するものである。また、Ｓ１０１の処理は、波形情報分類部１０２により行われるものである。Ｓ１０１の処理の詳細例は、図９に表される。また、Ｓ１０１の処理による組情報の分類結果例は図５に表される。
【００４９】
次に、処理部１０１は、Ｓ１０２の処理として、各組情報をオンオフ情報により分類する。Ｓ１０１の処理は、図１（ｂ）に表す、オンオフ情報による組情報の分類動作に対応するものである。また、Ｓ１０２の処理は、オンオフ情報分類部１０３により行われるものである。Ｓ１０２の処理の詳細例は、図１０に表される。また、Ｓ１０２の処理による組情報の分類結果例は図６に表される。
【００５０】
次に、処理部１０１は、Ｓ１０３の処理として、各組情報を、Ｓ１０１の処理による分類結果及びＳ１０２の処理による分類結果により分類する。その際に、処理部１０１は、Ｓ１０１の処理及びＳ１０２の処理のうちの少なくともいずれかで同じグループに分類された組情報は、同じグループに分類する。Ｓ１０３の処理による分類結果は、例えば、図１（ｃ）に表すようなものになる。Ｓ１０３の処理は、組情報分類部１０４により行われるものである。Ｓ１０３の処理の詳細例は、図１１に表される。また、Ｓ１０３の処理による組情報の分類結果例は図７に表される。
【００５１】
そして、処理部１０１は、図８に表す処理を終了する。
【００５２】
図９は、波形情報分類部１０２が行う、図８に表すＳ１０１の処理の具体例を表す概念図である。図９は、図３に表す組情報ＤＢが、図４乃至図７に表すものと同様のフォーマットを有することを前提とする処理例を表す。
【００５３】
処理部１０１により図８に表す処理が開始されると、波形情報分類部１０２は、Ｓ２０１の処理として、組番号を表す値ｎに１を代入する。ここで、組番号は、記憶部１１１に格納された組情報ＤＢにおいて、各組情報に付された連番の識別番号（図４参照）である。
【００５４】
次に、波形情報分類部１０２は、Ｓ２０２の処理として、組番号がｎの組情報である第ｎ組情報に対応する第一関連付け情報があるかについての判定を行う。ここで、図９に表す処理においては、組情報に付された第一関連付け情報（図５参照）により組情報を分類することを前提としている。すなわち、付された第一関連付け情報が同じ組情報は同じグループに属する。図５においては、組番号１及び２の第一関連付け情報の欄に同じ数字の１が格納されており、組番号１及び２の組情報が互いに関連付けられている。Ｓ２０２の処理は、第一関連付け情報が既に対応付けられている組情報については、Ｓ２０３乃至Ｓ２１２の処理を行わない趣旨で行うものである。
【００５５】
波形情報分類部１０２は、Ｓ２０２の処理による判定結果がｙｅｓの場合は、Ｓ２１３の処理を行う。
【００５６】
一方、波形情報分類部１０２は、Ｓ２０２の処理による判定結果がｎｏの場合は、Ｓ２０３の処理を行う。
【００５７】
図４に表す組情報ＤＢでは、組番号が値ｎ＝１の第一関連付け情報はないので、ｎ＝１の時のＳ２０２の処理による判定結果はｎｏとなる。そのため、波形情報分類部１０２は、Ｓ２０３の処理を行う。
【００５８】
波形情報分類部１０２は、Ｓ２０３の処理を行う場合は、同処理として、第ｎ組情報の波形情報である第ｎ波形情報を読み出す。
【００５９】
そして、波形情報分類部１０２は、Ｓ２０４の処理として、値ｍに１を代入する。ここで、値ｍは、Ｓ２０５乃至Ｓ２０８、Ｓ２１０乃至Ｓ２１２の処理で用いられる値である。
【００６０】
そして、波形情報分類部１０２は、Ｓ２０５の処理として、第ｎ＋ｍ組情報に対応する第一関連付け情報はあるかについての判定を行う。Ｓ２０５の処理は、第ｎ＋ｍ組情報に第一関連付け情報が対応付けられている場合には、そのｍについて、Ｓ２０７乃至Ｓ２１２の処理を行わない趣旨で行うものである。
【００６１】
波形情報分類部１０２は、Ｓ２０５の処理による判定結果がｎｏの場合は、Ｓ２０６の処理を行う。
【００６２】
一方、波形情報分類部１０２は、Ｓ２０５の処理による判定結果がｙｅｓの場合は、Ｓ２１１の処理を行う。
【００６３】
図４に表す組情報ＤＢでは、ｎ＝１及びｍ＝１の時に、ｎ＋ｍ＝２の組番号の第一関連付け情報はない。そのため、ｎ＝１及びｍ＝１の時のＳ２０５の処理による判定結果はｎｏとなる。従い、波形情報分類部１０２は、Ｓ２０６の処理を行う。
【００６４】
波形情報分類部１０２は、Ｓ２０６の処理を行う場合は、同処理として、第ｎ＋ｍ波形情報を読み出す。
【００６５】
そして、波形情報分類部１０２は、Ｓ２０８の処理として、第ｎ波形情報と第ｎ＋ｍ波形情報との第一相関係数を導出する。第一相関係数の導出方法は図３の説明で述べた通りである。
【００６６】
そして、波形情報分類部１０２は、Ｓ２０９の処理として、Ｓ２０８の処理により導出した第一相関係数が第一閾値以上であるかについての判定を行う。第一閾値は例えば９０％である。
【００６７】
波形情報分類部１０２は、Ｓ２０９の処理による判定結果がｙｅｓの場合は、Ｓ２１０の処理を行う。
【００６８】
一方、波形情報分類部１０２は、Ｓ２０９の処理による判定結果がｎｏの場合は、Ｓ２１１の処理を行う。
【００６９】
図４の組情報ＤＢでは、組番号が値ｎ＝１と値ｎ＋ｍ＝２の波形情報が類似しており、第一相関係数は高く算出される。そのため、ｎ＝１、ｍ＝１の当該判定結果はｙｅｓとなる。そのため、波形情報分類部１０２は、Ｓ２１０の処理を行う。
【００７０】
波形情報分類部１０２は、Ｓ２１０の処理を行う場合は、同処理として、組番号が値ｎの第ｎ組情報及び値ｎ＋ｍの第ｎ＋ｍ組情報に対応する第一関連付け情報を値ｎにする。図５に表す組情報ＤＢにおいては、ｎ＝１、ｍ＝１の時のＳ２１０の処理の結果、組番号１の第一組情報及び組番号２の第二組情報の各々の第一関連付け情報にｎ＝１が格納されている。
【００７１】
そして、波形情報分類部１０２は、Ｓ２１１の処理として、値ｍを１増加させる。
【００７２】
そして、波形情報分類部１０２は、Ｓ２１２の処理として、値ｎ＋ｍが値Ｎを超えたかについての判定を行う。ここで、値Ｎは、記憶部１１１に格納されている組情報の総数である。値ｎ＋ｍが値Ｎを超えるということは、第ｎ＋ｍ波形情報が存在しないことを意味する。Ｓ２１２の処理は、存在しない第ｎ＋ｍ波形情報についてはＳ２０５乃至Ｓ２１１の処理を行う意味はないので、Ｓ２１３の処理に移行する趣旨で行うものである。
【００７３】
波形情報分類部１０２は、Ｓ２１２の処理による判定結果がｙｅｓの場合は、Ｓ２１３の処理を行う。
【００７４】
一方、波形情報分類部１０２は、Ｓ２１２の処理による判定結果がｎｏの場合は、Ｓ２０５の処理を再度行う。
【００７５】
図４に表す組情報ＤＢでは、組情報の総数である値Ｎは４である。そして、ｎ＝１、ｍ＝１の時のｎ＋ｍ＝２はＮより小さい。従い、ｎ＝１、ｍ＝１の時のＳ２１２の処理による判定結果はｎｏになる。従い、波形情報分類部１０２は、Ｓ２０５の処理を再度行う。
【００７６】
そして、波形情報分類部１０２は、Ｓ２０５乃至Ｓ２１２の処理を繰り返しＳ２１１の処理によりｍの値が順次増加した結果、Ｓ２１２の処理による判定結果はｙｅｓになる。その場合、波形情報分類部１０２は、Ｓ２１３の処理を行う。
【００７７】
そのとき、その時点の値ｎについての第ｎ波形情報と第ｎ＋ｍ波形情報とのすべての組合せについてのＳ２０８乃至Ｓ２１０の処理は完了している。
【００７８】
波形情報分類部１０２は、Ｓ２１３の処理を行う場合は、同処理として、値ｎを一つ増やす。
【００７９】
そして、波形情報分類部１０２は、Ｓ２１４の処理として、値ｎは値Ｎ以上かを判定する。
【００８０】
波形情報分類部１０２は、Ｓ２１４の処理による判定結果がｙｅｓの場合は、図８のＳ１０２の処理を行う。
【００８１】
一方、波形情報分類部１０２は、Ｓ２１３の処理による判定結果がｎｏの場合は、Ｓ２０２の処理を再度行う。
【００８２】
図５に表す組情報ＤＢでは、組情報の総数である値Ｎは４である。従い、ｎ＝２の場合のＳ２１４の処理による判定結果はｎｏとなる。そのため、波形情報分類部１０２は、Ｓ２０２の処理を再度行う。
【００８３】
そして、波形情報分類部１０２は、Ｓ２０２乃至Ｓ２１４の処理を繰り返し、Ｓ２１３の処理によりｎの値が順次増加した結果、Ｓ２１４の処理による判定結果がｙｅｓになる。その場合、波形情報分類部１０２は、Ｓ１０２の処理を行う。
【００８４】
Ｓ２１４の処理による判定結果がｙｅｓであり値ｎがＮ以上であるということは、第ｎ＋ｍ波形情報（ｍは１以上）が存在しないことを意味する。第ｎ＋ｍ波形情報が存在しなければ、Ｓ２０２乃至Ｓ２１３の処理を行う意味はないので、図８のＳ１０２の処理に移行するのである。
【００８５】
なお、Ｓ２１４の処理による判定結果がｙｅｓになったとき、すべての二つの波形情報の組合せについて、Ｓ２０８乃至Ｓ２１０の処理が完了する。この状態を表す図５の組情報ＤＢでは、組番号が１及び２の第一関連付け情報には１が格納されている。この第一関連情報は、ｎ＝１、ｍ＝１のＳ２１０の処理により格納されたものである。
【００８６】
図１０は、オンオフ情報分類部１０３が行う、図８に表すＳ１０２の処理の具体例を表す概念図である。図１０は、図３に表す組情報ＤＢが、図４乃至図７に表すものと同様のフォーマットを有することを前提とする処理例を表す。
【００８７】
図８のＳ１０１の処理が終わると、オンオフ情報分類部１０３は、Ｓ３０１の処理として、組番号の値ｎに１を代入する。ここで、組番号は、図９の場合同様に記憶部１１１に格納された各組情報に付けられた連番の識別番号（図４参照）である。
【００８８】
次に、オンオフ情報分類部１０３は、Ｓ３０２の処理として、組番号がｎの組情報である第ｎ組情報に対応する第二関連付け情報があるかについての判定を行う。ここで、図１０に表す処理においてオンオフ情報分類部１０３は、組情報に付された第二関連付け情報により組情報を分類することを前提としている。すなわち、付された第二関連付け情報が同じ組情報は同じグループに属するように分類される。第二関連付け情報の例は、図６に表す。図６においては、組番号２及び３の第二関連付け情報は共に２であり、これらの組番号に対応する組情報は同じグループに分類されている。なお、Ｓ３０２の処理は、第ｎ組情報に第二関連付け情報が既に対応付けられている場合には、そのｎについて、Ｓ３０３乃至Ｓ３１１の処理を行わない趣旨で行うものである。
【００８９】
オンオフ情報分類部１０３は、Ｓ３０２の処理による判定結果がｙｅｓの場合は、Ｓ３１２の処理を行う。
【００９０】
一方、オンオフ情報分類部１０３は、Ｓ３０２の処理による判定結果がｎｏの場合は、Ｓ３０３の処理を行う。
【００９１】
図５組情報ＤＢでは、組番号が値ｎ＝１の第二関連付け情報はないので、ｎ＝１のＳ３０２の処理による判定結果はｎｏになる。そのため、オンオフ情報分類部１０３は、Ｓ３０３の処理を行う。
【００９２】
オンオフ情報分類部１０３は、Ｓ３０３の処理を行う場合は、同処理として、第ｎ組情報のオンオフ情報である第ｎオンオフ情報を読み出す。
【００９３】
そして、オンオフ情報分類部１０３は、Ｓ３０４の処理として、値ｍに１を代入する。ここで、値ｍは、Ｓ３０５乃至Ｓ３０７、Ｓ３０９乃至Ｓ３１１の処理で用いられる値である。
【００９４】
そして、オンオフ情報分類部１０３は、Ｓ３０５の処理として、組番号が値ｎ＋ｍの組情報である第ｎ＋ｍ組情報に対応する第二関連付け情報はあるかについての判定を行う。Ｓ３０５の処理は、第ｎ＋ｍ組情報に第二関連付け情報が対応付けられている場合には、そのｍについて、Ｓ３０６乃至Ｓ３１１の処理を行わない趣旨で行うものである。
【００９５】
オンオフ情報分類部１０３は、Ｓ３０５の処理による判定結果がｙｅｓの場合は、Ｓ３０６の処理を行う。
【００９６】
一方、オンオフ情報分類部１０３は、Ｓ３０５の処理による判定結果がｎｏの場合は、Ｓ３１０の処理を行う。
【００９７】
図５の組情報ＤＢでは、ｎ＋ｍ＝２（ｎ＝ｍ＝１）の組番号の第二関連付け情報は格納されていない。そのため、ｎ＝１、ｍ＝１の時のＳ３０５の判定結果はｎｏになる。そのため、オンオフ情報分類部１０３は、Ｓ３０６の処理を行う。
【００９８】
オンオフ情報分類部１０３は、Ｓ３０６の処理を行う場合は、同処理として、組番号が値ｎ＋ｍのオンオフ情報である第ｎ＋ｍオンオフ情報を読み出す。
【００９９】
そして、オンオフ情報分類部１０３は、Ｓ３０７の処理として、第ｎオンオフ情報と第ｎ＋ｍオンオフ情報の第二相関係数を導出する。第二相関係数については、図３の説明時に述べた通りである。
【０１００】
そして、オンオフ情報分類部１０３は、Ｓ３０８の処理として、Ｓ３０７の処理により導出した第二相関係数が第二閾値以上であるかについての判定を行う。ここで、第二閾値は、Ｓ３０８の処理のために予め定められた第二相関係数に関する閾値である。第二閾値は、例えば、９０％である。
【０１０１】
オンオフ情報分類部１０３は、Ｓ３０８の処理による判定結果がｙｅｓの場合は、Ｓ３０９の処理を行う。
【０１０２】
一方、オンオフ情報分類部１０３は、Ｓ３０８の処理による判定結果がｎｏの場合は、Ｓ３１０の処理を行う。
【０１０３】
図５に表す組情報ＤＢでは、組番号が値ｎ＝１のオンオフ情報は値ｎ＋１＝２のオンオフ情報と似ているので、それらの第二相関係数は第二閾値より高くなる。そのため、ｎ＝１、ｍ＝１の時の当該判定結果はｎｏになる。従い、オンオフ情報分類部１０３は、Ｓ３０９の処理を行う。
【０１０４】
オンオフ情報分類部１０３は、Ｓ３０９の処理を行う場合は、同処理として、第ｎ組情報及び第ｎ＋ｍ組情報に対応する第二関連付け情報をｎにする。例えば、組情報ＤＢが図６に表す状態の場合は、ｎ＝２、ｍ＝１の時のＳ３０９の処理により、組番号が値ｎ＝２及び値ｎ＋ｍ＝３の各々に第二関連付け情報に、値ｎ＝２が格納されている。値ｎ＋ｍが値Ｎを超えるということは、第ｎ＋ｍオンオフ情報が存在しないことを意味する。Ｓ３１１の処理は、存在しない第ｎ＋ｍオンオフ情報についてはＳ３０５乃至Ｓ３１１の処理を行う意味はないので、Ｓ３１２の処理に移行する趣旨で行うものである。
【０１０５】
そして、オンオフ情報分類部１０３は、Ｓ３１０の処理として、値ｍを１増加させる。
【０１０６】
そして、オンオフ情報分類部１０３は、Ｓ３１１の処理として、値ｎ＋ｍが値Ｎを超えたかについての判定を行う。ここで、値Ｎは、記憶部１１１の組情報ＤＢに格納されている組情報の総数である。
【０１０７】
オンオフ情報分類部１０３は、Ｓ３１１の処理による判定結果がｙｅｓの場合は、Ｓ３１２の処理を行う。
【０１０８】
一方、オンオフ情報分類部１０３は、Ｓ３１１の処理による判定結果がｎｏの場合は、Ｓ３０５の処理を再度行う。
【０１０９】
図５の組情報ＤＢでは、組情報の総数はＮ＝４なので、ｎ＋ｍ＝２（ｎ＝ｍ＝１）のＳ３１１の処理による判定結果はｎｏとなる。そのため、オンオフ情報分類部１０３は、Ｓ３０５の処理を再度行う。
【０１１０】
そして、オンオフ情報分類部１０３は、Ｓ３０５乃至Ｓ３１１の処理を繰り返し、Ｓ３１０の処理によりｍの値を増加させた結果、Ｓ３１１の処理によりｙｅｓを判定する。その場合、オンオフ情報分類部１０３は、Ｓ３１２の処理を行う。
【０１１１】
なお、Ｓ３１１の処理による判定結果がｙｅｓになったとき、第ｎオンオフ情報と第ｎ＋ｍオンオフ情報とのすべての組合せについてのＳ３０７乃至Ｓ３０９の処理は完了する。
【０１１２】
オンオフ情報分類部１０３は、Ｓ３１２の処理を行う場合は、同処理として、値ｎを一つ増やす。
【０１１３】
そして、オンオフ情報分類部１０３は、Ｓ３１３の処理として、値ｎは値Ｎ以上かについての判定を行う。値ｎがＮ以上であるということは、第ｎ＋ｍ波形情報（ｍは１以上）が存在しないことを意味する。第ｎ＋ｍ波形情報が存在しなければ、Ｓ３０２乃至Ｓ３１２の処理を行う意味はないので、図８のＳ１０３の処理に移行するのである。
【０１１４】
オンオフ情報分類部１０３は、Ｓ３１３の処理による判定結果がｙｅｓの場合は、図８のＳ１０３の処理を行う。
【０１１５】
一方、オンオフ情報分類部１０３は、Ｓ３１３の処理による判定結果がｎｏの場合は、Ｓ３０２の処理を再度行う。
【０１１６】
図５の組情報ＤＢでは、組情報の総数はＮ＝４なので、ｎ＝２のＳ３１３の処理による判定結果はｎｏとなる。そして、オンオフ情報分類部１０３は、Ｓ３０２の処理を再度行う。
【０１１７】
そして、オンオフ情報分類部１０３は、Ｓ３０２乃至Ｓ３１３の処理を繰り返し、Ｓ３１２の処理によりｎの値を増加させた結果、Ｓ３１３の処理によりｙｅｓを判定する。Ｓ３１３の処理による判定結果がｙｅｓになったとき、すべての二つのオンオフ情報の組合せについて、Ｓ３０７乃至Ｓ３０９の処理が完了する。
【０１１８】
この状態を表す図６に表す組情報ＤＢでは、組情報が２及び３の第二関連付け情報に２の値が格納されている。これらの第二関連付け情報は、ｎ＝２、ｍ＝１のＳ３０９の処理により格納されたものである。
【０１１９】
図１１は、組情報分類部１０４が行う、図８に表すＳ１０３の処理の具体例を表す概念図である。図１１は、図３に表す組情報ＤＢが、図４乃至図７に表すものと同様のフォーマットを有することを前提とする処理例を表す。
【０１２０】
図１１に表す処理においては、まず、第一関連付け情報と第二関連付けとが共に対応付けられた組番号がある場合に、それら各組番号の第二関連付け情報をその第一関連付け情報と同じ内容にする（Ｓ４０１乃至Ｓ４０６の処理）。そして、各組番号に対応付けられた第一関連付け情報及び第二関連付け情報をその組番号の第三関連付け情報とする（Ｓ４０７乃至Ｓ４１１の処理）。これにより、同じ第三関連付け情報が対応付けられた組情報は同じグループに分類される。
【０１２１】
以下、図１１の詳細を説明する。
【０１２２】
まず、組情報分類部１０４は、Ｓ４０１の処理として、組番号の値ｎに１を代入する。ここで、組番号は、図９及び図１０の場合同様に記憶部１１１に格納された組情報ＤＢの各組情報に付けられた連番の識別番号（図４参照）である。
【０１２３】
次に、組情報分類部１０４は、Ｓ４０２の処理として、組番号がｎの組情報である第ｎ組情報に対応する第一関連付け情報があるかについての判定を行う。Ｓ４０２の処理は、第一関連付け情報が対応付けられていない組情報については後述のＳ４０４の処理を行わない趣旨で行うものである。
【０１２４】
組情報分類部１０４は、Ｓ４０２の処理による判定結果がｙｅｓの場合は、Ｓ４０３の処理を行う。
【０１２５】
一方、組情報分類部１０４は、Ｓ４０２の処理による判定結果がｎｏの場合は、Ｓ４０５の処理を行う。
【０１２６】
図６に表す組情報ＤＢでは、組番号が値ｎ＝１の第一関連付け情報はあるので、ｎ＝１時のＳ４０２の処理による判定結果はｙｅｓになる。そのため、組情報分類部１０４は、Ｓ４０３の処理を行う。
【０１２７】
組情報分類部１０４は、Ｓ４０３の処理を行う場合は、同処理として、組番号が値ｎの組情報である第ｎ組情報に対応する第二関連付け情報があるかについての判定を行う。Ｓ４０３の処理は、第二関連付け情報が対応付けられていない組情報については後述のＳ４０４の処理を行わない趣旨で行うものである。
【０１２８】
組情報分類部１０４は、Ｓ４０３の処理による判定結果がｙｅｓの場合は、Ｓ４０４の処理を行う。
【０１２９】
一方、組情報分類部１０４は、Ｓ４０３の処理による判定結果がｎｏの場合は、Ｓ４０５の処理を行う。
【０１３０】
図６に表す組情報ＤＢでは、組番号が値ｎ＝１の第二関連付け情報はないので、ｎ＝１の時のＳ４０３の処理による判定結果はｎｏになる。そのため、組情報分類部１０４は、Ｓ４０５の処理を行う。
【０１３１】
組情報分類部１０４は、Ｓ４０４の処理を行う場合は、同処理として、Ｓ４０３の処理の過程で対応付けられていることが判定された第二関連付け情報と等しい、各第二関連付け情報を、次の第一関連付け情報で置き換える。すなわち、その第一関連付け情報は、Ｓ４０２の処理の過程で対応付けられていることが判定された第一関連付け情報である。
【０１３２】
そして、組情報分類部１０４は、Ｓ４０５の処理として、値ｎを一つ増やす。
【０１３３】
そして、組情報分類部１０４は、Ｓ４０６の処理として、値ｎは値Ｎ以上かについての判定を行う。値ｎがＮ以上であるということは、すべての値ｎについてＳ４０２乃至Ｓ４０６の処理が終了したことを意味するので、Ｓ４０７処理に移行するのである。
【０１３４】
組情報分類部１０４は、Ｓ４０６の処理による判定結果がｙｅｓの場合は、Ｓ４０７の処理を行う。
【０１３５】
一方、組情報分類部１０４は、Ｓ４０６の処理による判定結果がｎｏの場合は、Ｓ４０２の処理を再度行う。
【０１３６】
図７の組情報ＤＢでは、組情報の総数はＮ＝４なので、ｎ＝３のＳ４０６の処理による判定結果はｎｏとなる。そのため、組情報分類部１０４は、Ｓ４０２の処理を再度行う。
【０１３７】
そして、組情報分類部１０４は、Ｓ４０２乃至Ｓ４０６の処理を繰り返し、Ｓ４０５の処理によりｎの値を増加させた結果、Ｓ４０６の処理によりｙｅｓを判定する。その場合、組情報分類部１０４は、Ｓ４０７の処理を行う。
【０１３８】
なお、Ｓ４０６の処理による判定結果がｙｅｓになったとき、第一関連情報と第二関連情報とが共に格納された組番号がある場合、その第二関連情報と等しい他の組番号の第二関連情報は、第一関連情報で置き換えられている。
【０１３９】
図７に表す組情報ＤＢでは、図６に表す組情報ＤＢでは、値が２であった組番号２及び３の第二関連付け情報が１の値に置き換えられている。これらの第二関連付け情報は、ｎ＝２のＳ４０４の処理で、２から１に置き換えられたものである。
【０１４０】
組情報分類部１０４は、Ｓ４０７の処理を行う場合は、同処理として、値ｎに１を代入する。
【０１４１】
そして、組情報分類部１０４は、Ｓ４０８の処理として、第ｎ組情報に対応付けられた第一関連付け情報又は第二関連付け情報があるかについての判定を行う。
【０１４２】
組情報分類部１０４は、Ｓ４０８の処理による判定結果がｙｅｓの場合は、Ｓ４０９の処理を行う。
【０１４３】
一方、組情報分類部１０４は、Ｓ４０８の処理による判定結果がｎｏの場合は、Ｓ４１０の処理を行う。
【０１４４】
例えば、組情報ＤＢが図７に表す状態の場合は、組番号が値ｎ＝１の第一関連付け情報はあるので、ｎ＝１の時のＳ４０８の処理による判定結果はｙｅｓとなる。そのため、組情報分類部１０４は、Ｓ４０９の処理を行う。
【０１４５】
組情報分類部１０４は、Ｓ４０９の処理を行う場合は、同処理として、Ｓ４０９の処理の過程で対応付けられていることが判定された第一関連付け情報又は第二関連付け情報を第三関連付け情報とする。例えば、組情報ＤＢが図７に表す状態の場合は、ｎ＝１乃至３のＳ４０９の処理により、組番号１乃至３の第三関連付け情報に、第一又は第二関連付け情報の値である１が格納されている。
【０１４６】
そして、組情報分類部１０４は、Ｓ４１０の処理として、値ｎを一つ増やす。
【０１４７】
そして、組情報分類部１０４は、Ｓ４１１の処理として、値ｎは値Ｎ以上かについての判定を行う。
【０１４８】
組情報分類部１０４は、Ｓ４１１の処理による判定結果がｙｅｓの場合は、図８に表す処理を終了する。
【０１４９】
一方、組情報分類部１０４は、Ｓ４１１の処理による判定結果がｎｏの場合は、Ｓ４０８の処理を再度行う。
【０１５０】
図７の組情報ＤＢでは、組情報の総数はＮ＝４なので、ｎ＝１のＳ４１１の処理による判定結果はｎｏとなる。そのため、組情報分類部１０４は、Ｓ４０８の処理を再度行う。そして、組情報分類部１０４は、Ｓ４０８乃至Ｓ４１１の処理を繰り返し、Ｓ４１０の処理によりｎの値を増加させた結果、Ｓ４１１の処理によりｙｅｓを判定する。
【０１５１】
そして、組情報分類部１０４は、図８に表す処理を終了する。値ｎがＮ以上であるということは、すべての値ｎについてＳ４０８乃至Ｓ４０９の処理が終了したことを意味するので、図８の処理を終了するのである。
【０１５２】
なお、Ｓ４１１の判定結果がｙｅｓになった時点の組情報ＤＢでは、第一関連情報又は第二関連情報が格納されているすべての組番号の第三関連情報に、第一関連情報又は第二関連情報と等しい値が格納されている。当該時点の図７に表す組情報ＤＢでは、組番号１乃至３の各第三関連付け情報に１が格納されている。これらは、ｎ＝１乃至３の各々のＳ４０９の処理により格納されたものである。
［効果］
本実施形態の分類装置は、供給電流波形からＮＩＬＭ技術により抽出された、波形情報とオンオフ情報の組合せを、波形情報とオンオフ情報とのいずれかが類似しているものを同じグループとする分類を行う。ここで、波形情報は波形と位相とを表す情報である。従い、波形情報が類似していることは、同じ電気機器に供給される電流に関するものであることを表す可能性が高い。また、オンオフ情報は、前記電流波形の供給電流のオンオフを表す情報である。従い、オンオフ情報が類似していることは、同じ電気機器に供給される電流に関するものであることを表す可能性が高い。従い、前記分類装置は、波形情報とオンオフ情報とのいずれかが類似しているものを同じグループとする上記分類を行うことで、ＮＩＬＭ技術により抽出された波形情報とオンオフ情報との組情報の、電気機器ごとの分類を行い得る。本実施形態の分類装置は、このように、波形情報とオンオフ情報との各々の類否判定により、組情報の電気機器ごとの分類を行うので、その分類に、稼働中の電気機器の動作モードに関する情報を必要としない。従い、本実施形態の分類装置は、稼働中の電気機器の動作モードが不明でも、同じ電気機器へ供給されたと推定される電流波形を分類し得る。
【０１５３】
図１２は、実施形態の分類装置の最小限の構成である分類装置１０１ｘの構成を表すブロック図である。
【０１５４】
分類装置１０１ｘは、第一分類部１０２ｘと、第二分類部１０３ｘと、第三分類部１０４ｘとを備える。第一分類部１０２ｘは、波形情報とオンオフ情報との組合せである組情報の各々に含まれる、前記波形情報の類似度を表す情報により前記組情報の各々の第一の分類を行う。ここで、前記波形情報は、電気機器に供給された電流を表す電流情報から分離された、第一期間の電流波形を表す情報である。また、前記オンオフ情報は、前記電流波形の電流の第二の期間における供給開始及び供給停止のタイミングを表す情報である。
【０１５５】
第二分類部１０３ｘは、前記組情報の各々に含まれる、前記オンオフ情報の類似度を表す情報により前記組情報の各々の第二の分類を行う。
【０１５６】
第三分類部１０４ｘは、前記第一の分類及び前記第二の分類に係る分類結果により前記組情報を分類する。
【０１５７】
前記波形情報は、定められた第一期間の波形を表すので、波形と位相とを表す情報である。従い、波形情報が類似していることは、同じ電気機器に供給される電流に関するものであることを表す可能性が高い。また、前記オンオフ情報は、前記電流波形の供給電流のオンオフを表す情報である。従い、オンオフ情報が類似していることは、同じ電気機器に供給される電流に関するものであることを表す可能性が高い。従い、前記分類装置は、波形情報とオンオフ情報とのいずれかが類似しているものを同じグループとする上記分類を行うことで、前記組情報の、電気機器ごとの分類を行い得る。分類装置１０１ｘは、波形情報とオンオフ情報との各々の類似の程度により、組情報の電気機器ごとの分類を行うので、その分類に、稼働中の電気機器の動作モードに関する情報を必要としない。従い、分類装置１０１ｘは、稼働中の電気機器の動作モードが不明でも、同じ電気機器へ供給されたと推定される電流波形を分類し得る。
【０１５８】
そのため、分類装置１０１ｘは、前記構成により、［発明の効果］の項に記載した効果を奏する。
【０１５９】
なお、図１２に表す分類装置１０１ｘは、例えば、図３に表す分類装置１００である。
【０１６０】
また、第一分類部１０２ｘは、例えば、図２に表す波形情報分類部１０２である。
【０１６１】
また、第二分類部１０３ｘは、例えば、オンオフ情報分類部１０３である。
【０１６２】
また、第三分類部１０４ｘは、例えば、組情報分類部１０４である。
【０１６３】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【符号の説明】
【０１６４】
１００、１０１ｘ    分類装置
１０１    処理部
１０２    波形情報分類部
１０２ｘ    第一分類部
１０３    オンオフ情報分類部
１０３ｘ    第二分類部
１０４    組情報分類部
１０４ｘ    第三分類部
１１１    記憶部
【図１】
2020154509.tif 000003
【図２】
2020154509.tif 000004
【図３】
2020154509.tif 000005
【図４】
2020154509.tif 000006
【図５】
2020154509.tif 000007
【図６】
2020154509.tif 000008
【図７】
2020154509.tif 000009
【図８】
2020154509.tif 000010
【図９】
2020154509.tif 000011
【図１０】
2020154509.tif 000012
【図１１】
2020154509.tif 000013
【図１２】
2020154509.tif 000014